(57)【特許請求の範囲】
【請求項１】
原稿画像を読み取り，該読み取った原稿画像の画像データの特性を変化させることによって印刷のための画像処理を施すことのできる第１の画像処理装置と，
上記第１の画像処理装置と通信可能で，上記画像データに基いて画像形成を行うことのできる第２の画像処理装置とを具備する印刷システムにおいて，
上記第２の画像処理装置は上記印刷のための画像処理に関する画像処理パラメータを記憶し，
上記第１の画像処理装置は，上記第２の画像処理装置に記憶された上記画像処理パラメータを上記第２の画像処理装置より取得し，該取得した上記画像処理パラメータに基いて上記画像データの特性を変化させることによって上記印刷のための画像処理を施し，該画像処理を施した画像データを上記第２の画像処理装置へ出力するものであって，さらに，上記第２の画像処理装置より取得した上記画像処理パラメータを変更して設定した後に，該設定した画像処理パラメータを上記第２の画像処理装置に送信可能であり，
上記第２の画像処理装置は，上記第１の画像処理装置から送信された変更後の上記画像処理パラメータに基づいて記憶内容を追加若しくは更新可能であることを特徴とする印刷システム。
【請求項２】
前記画像処理パラメータが，ユーザ別に設定されうるものである請求項１記載の印刷システム。
【請求項３】
前記画像処理パラメータが，前記第１の画像処理装置の種別に応じて設定されうるものである請求項１記載の印刷システム。
【請求項４】
前記第２の画像処理装置は，前記第２の画像処理装置が具備する印刷の態様に関する印刷態様パラメータを更に記憶し，
前記第１の画像処理装置は，前記第２の画像処理装置に記憶された上記印刷態様パラメータを前記第２の画像処理装置より取得し，該取得した上記印刷態様パラメータと前記第１の画像処理装置が具備する印刷の態様とに基いて，前記第２の画像処理装置で出力する際の印刷の態様を構築してなる請求項１から請求項３のいずれかに記載の印刷システム。
【請求項５】
構築された前記印刷の態様を前記第１の画像処理装置が具備する表示部に表示してなる請求項４記載の印刷システム。
【発明の詳細な説明】
【０００１】
【発明の属する技術分野】
本発明は，１台の画像処理装置で原稿画像を読み取り，該読み取った原稿画像を，上記画像処理装置と通信可能な別の画像処理装置で画像形成を行うことのできる印刷システムに関するものである。
【０００２】
【従来の技術】
従来より，２台の画像処理装置を用いて画像処理や画像形成を行う印刷システムの技術がある。
例えば，特開２０００−１８４２１８号公報には，２台の画像処理装置（以下，「装置Ａ」，「装置Ｂ」の２台を想定する。）の内，一方の装置Ａは原稿のスキャン機能を具備し，他方の装置Ｂは装置Ａでは不可能な機能（例えば，カラー印刷）を具備する場合において，その２台を接続し，例えば，原稿を装置Ａでスキャン（この場合，装置Ａはカラースキャナを備えているものとする。）して画像処理を施し，その画像処理を施した画像データを装置Ｂに送信してカラー印刷するような技術について開示されている。
上記技術によって，例えば，装置Ａ単体では不可能だった原稿画像のカラー印刷等の機能の実施が，装置Ｂを接続することによって手軽に実施できるようになった。
また，上記技術では，装置Ｂで画像データを印刷出力する場合に最適な状態で印刷出力できるような画像処理が装置Ａにて行われる。即ち，装置Ｂ固有の性能や印刷特性を鑑みた画像処理が装置Ａにて行われる。
つまり，上記技術では，装置Ｂを用いて印刷出力する場合に，該印刷出力を最適に行うための画像処理に関する画像処理パラメータが予め装置Ａに記憶されており，この画像処理パラメータに基いて装置Ａが画像処理を行うものである。
【０００３】
【発明が解決しようとする課題】
しかしながら，このように上記画像処理パラメータが予め装置Ａに記憶されているような形態であると，装置Ｂに相当する画像処理装置の機種が増えた場合等に，その増加した装置Ｂの画像処理パラメータを装置Ａに追加又は更新する必要があるので，ユーザは煩わしい追加又は変更処理を行う必要がある。
このように考えると，上記技術は，２台の画像処理装置を相互に接続することによって，何時でも一方の画像処理装置で読み取った原稿画像を他方の画像処理装置より印刷出力できるような手軽さを提供してくれるものとは言い難い。
そこで，本発明は上記事情に鑑みてなされたものであり，その目的とするところは，例えば上記装置Ｂの機種が増加した場合に，ユーザがその増加した装置Ｂの画像処理パラメータを上記装置Ａに対して追加又は変更する必要の無い使いやすい印刷システムを提供することである。
【０００４】
【課題を解決するための手段】
本発明は，原稿画像を読み取り，該読み取った原稿画像の画像データの特性を変化させることによって印刷のための画像処理を施すことのできる第１の画像処理装置と，
上記第１の画像処理装置と通信可能で，上記画像データに基いて画像形成を行うことのできる第２の画像処理装置とを具備する印刷システムにおいて，
上記第２の画像処理装置は上記印刷のための画像処理に関する画像処理パラメータを記憶し，
上記第１の画像処理装置は，上記第２の画像処理装置に記憶された上記画像処理パラメータを上記第２の画像処理装置より取得し，該取得した上記画像処理パラメータに基いて上記画像データの特性を変化させることによって上記印刷のための画像処理を施し，該画像処理を施した画像データを上記第２の画像処理装置へ出力するものであって，さらに，上記第２の画像処理装置より取得した上記画像処理パラメータを変更して設定した後に，該設定した画像処理パラメータを上記第２の画像処理装置に送信可能であり，
上記第２の画像処理装置は，上記第１の画像処理装置から送信された変更後の上記画像処理パラメータに基づいて記憶内容を追加若しくは更新可能であることを特徴とする印刷システムとして構成されている。
本発明がこのように構成されているので，従来の技術のように画像処理パラメータが予め第１の画像処理装置に記憶されているような形態では，第２の画像処理装置の機種が増えた場合に，その増加した機種の画像処理パラメータを追加，更新，又は変更するような煩わしい作業をする必要が無くなり，ユーザは何時でも第２の画像処理装置を第１の画像処理装置に接続するだけで第２の画像 処理装置による印刷が可能となる。
【０００５】
また，前記第１の画像処理装置は，前記第２の画像処理装置より取得した前記画像処理パラメータを変更して設定（例えば，ユーザ別又は前記第１の画像処理装置の種別に応じて設定）した後に，該設定した画像処理パラメータを前記第２の画像処理装置に記憶させることができるので，第２の画像処理装置を用いて印刷する場合に，様々な状況に応じた印刷を行うことが可能となる。
【０００６】
本発明において，前記第２の画像処理装置は，前記第２の画像処理装置が具備する印刷の態様に関する印刷態様パラメータを更に記憶し，
前記第１の画像処理装置は，前記第２の画像処理装置に記憶された上記印刷態様パラメータを前記第２の画像処理装置より取得し，該取得した上記印刷態様パラメータと前記第１の画像処理装置が具備する印刷の態様とに基いて，前記第２の画像処理装置で出力する際の印刷の態様を構築してなるように構成しても良い。更に，該構築された前記印刷の態様を前記第１の画像処理装置が具備する表示部に表示することが望ましい。
この場合，第２の画像処理装置を用いて印刷するにおいて，例えば，第１の画像処理装置が具備する原稿画像読み取りの機能と，第２の画像処理装置で行える印刷の機能とを併せて，総合的に印刷の機能を本発明の印刷システムで構築することが可能となるので，各々単体では不可能な幅広い印刷の態様を設定することが可能となる。
【０００７】
【発明の実施の形態】
以下添付図面を参照しながら，本発明の実施の形態及び実施例について説明し，本発明の理解に供する。尚，以下の実施の形態及び実施例は，本発明を具体化した一例であって，本発明の技術的範囲を限定する性格のものではない。
ここに，図１は本発明の実施の形態に係る印刷システムの概略構成を示した一例図，図２は画像処理パラメータ，印刷態様パラメータの説明図，図３は複合機における一連の処理の一例を示したフローチャート，図４は複合機の表示操作部の表示例図，図５は機種別に記憶された画像処理パラメータ（画像処理テーブル）を複合機が取得する手順の一例を示したフローチャート，図６は図３のフローチャートの別例図，図７はユーザ別に記憶された画像処理パラメータ（画像処理テーブル）を複合機が取得する手順の一例を示したフローチャートである。
【０００８】
本発明の実施の形態に係る印刷システムを採用する第１の画像処理装置と第２の画像処理装置について説明する。
上記第１の画像処理装置とは，原稿画像の読み取りを行えるものであって，該読み取った原稿画像の画像データの特性そのものを変化させることによって，印刷のための画像処理を施すことのできるものである。
もちろん，上記第１の画像処理装置は，上述以外に例えば，画像形成を行う機能やファクシミリ機能等を具備しても良く，以下では具体例として複合機Ａ（図１参照）を用いる。
上記第２の画像処理装置とは，上記第１の画像処理装置とデータ通信等の通信が可能であって，上記第１の画像処理装置において，施された印刷のための画像処理後の画像データに基いて画像形成を行えるものである。
もちろん，上記第２の画像処理装置は，上述以外に例えば，印刷のための画像処理を行う機能やファクシミリ機能等を具備しても良く，以下では具体例としてインクジェットプリンタＢ（図１参照）を用いる。
【０００９】
次に，図１を用いて，複合機Ａ，及びインクジェットプリンタＢについて説明する。
複合機Ａは，複合機Ａの全体の制御を行うためのＣＰＵ１１，ＲＯＭ１２，ＲＡＭ１３を具備する制御部１０と，ユーザが複合機Ａに対して指示を入力したり，処理状況等を表示するためのタッチパネル式の表示操作部２０と，原稿画像を読み取るスキャナ部３０と，該スキャナ部３０で読み取られた原稿画像の画像処理を行うための画像処理部６０と，画像データを印刷出力するための画像形成を行う画像形成部５０と，インクジェットプリンタＢ等の外部装置が接続されて通信処理を行うプリンタ通信部７０と，パソコンＣ等のコンピュータが接続されて通信処理を行うＰＣ通信部４０とを具備して概略構成されている。尚，以下の説明において，複合機Ａはカラー印刷が出来ないものとする。
インクジェットプリンタＢは，一般的に知られるインクジェット方式の画像形成を行うための構成を具備し，更に，画像処理パラメータや印刷態様パラメータ等を含む固有情報をＲＯＭ８０に記憶している。尚，以下の説明において，インクジェットプリンタＢはカラー印刷が可能なものとする。
【００１０】
ここで，ＲＯＭ８０に記憶された上記画像処理パラメータ，上記印刷態様パラメータについて図２を用いて説明する。
（画像処理パラメータ）
画像処理パラメータとは，複合機Ａで読み取られた原稿画像の画像データをインクジェットプリンタＢにて最適な状態で画像形成できるように，複合機Ａで実行する画像処理の指針又は基準となるものである。
即ち，この画像処理パラメータの具体的な内容とは，例えば，解像度，色階調，色補正，濃度（ガンマ）補正，明暗補正等の値を，インクジェットプリンタＢにて最適に画像形成ができるように定めた諸量のことである。
図２は，このような諸量（画像処理パラメータ）を接続する第１の画像処理装置の機種の種別に対応させて，テーブル形式の画像処理テーブルとして定めたものである。更にこの図２では，各機種毎に第２の画像処理装置で画像形成を行う際の紙の種類（普通紙用テーブルと光沢紙用テーブルの２種類）に対応して，上記諸量がテーブル形式で記憶されている。
（印刷態様パラメータ）
印刷態様パラメータとは，インクジェットプリンタＢが具備する印刷の態様，即ち第２の画像処理装置においてどのような印刷が可能であるかを示したものである。更に具体的に言うならば，例えば，インクジェットプリンタＢが具備する用紙サイズや用紙の種類の選択性，両面印刷やカラー印刷の可・不可を示したものである。ここでは図２に示されるように，上記印刷態様パラメータをテーブル形式の印刷態様テーブルとして定めている。
以下の説明においては，画像処理パラメータ，印刷態様パラメータが，図２示されるような画像処理テーブル，印刷態様テーブルの形式であるものとして説明する。
【００１１】
次に，複合機Ａが，原稿画像の画像データを読み取り，該読み取った画像データをインクジェットプリンタＢで印刷出力するために画像処理を行い，その後に画像データをインクジェットプリンタＢで印刷出力する一連の処理について図３を用いて説明する。
処理はステップＳ１０より開始する。
先ず，複合機Ａの制御部１０は，インクジェットプリンタＢによる外部印刷，即ち，複合機Ａ以外の外部機器を用いる外部印刷の指示の有無を判断する（Ｓ１０）。
このステップＳ１０の判断は，例えば，ユーザによって外部印刷の指示が表示操作部２０に入力されることで外部印刷を行うと判断する。また，複合機ＡにインクジェットプリンタＢ等の外部機器が接続されている状態で，単に印刷指示が入力された場合に外部印刷を実行すると判断しても良い。
上記ステップＳ１０で，外部印刷の指示が無い場合は，例えば複合機Ａ単体で原稿の複写等の処理が行われる（Ｓ１００）。
他方，上記ステップＳ１０で外部印刷の指示が有ると判断された場合は，複合機ＡはインクジェットプリンタＢより上記固有情報を取得する（Ｓ２０）。
次に，複合機Ａは，インクジェットプリンタＢを用いて最適に画像形成して印刷出力するために，上記固有情報に基いて自身（複合機Ａ）の各種設定を最適化する初期処理を行う（Ｓ３０）。
このステップＳ３０における「各種設定の最適化の初期処理」とは，例えば，上述の画像処理テーブルに基いて解像度，色階調，色補正，濃度（ガンマ）補正，明暗補正等の諸量に応じた画像処理を行うように複合機Ａが動作環境を整えることである。
また，複合機Ａは，ステップＳ３０の初期処理の際に，上述の印刷態様テーブルに基いてインクジェットプリンタＢで行える印刷の態様，即ち用紙サイズ，用紙の種類，両面印刷，カラー印刷の可・不可等の判断を行い，その結果を表示操作部２０に図４（ｂ）のように表示する（Ｓ４０）。
この表示操作部２０の表示状況を示した図４（ｂ）は，インクジェットプリンタＢによる外部印刷が行われる場合を示している。尚，図４（ａ）は複合機Ａ単体で印刷処理を行う場合（ステップＳ１００の一例）を示している。
この図４（ｂ）に示される表示状態の表示操作部２０に対して，ユーザが操作入力することによって印刷の設定や画像処理の設定が変更される（Ｓ５０）。  つまり上記ステップＳ５０の処理では，上記ステップＳ２０で取得した固有情報に含まれる画像処理テーブル及び印刷態様テーブルに基いて設定された複合機Ａの設定を，ユーザの好みに合わせて変更できるようにしている。
このステップＳ５０における印刷の設定の変更は，具体的には次のようにして行われる。
例えば，現在非アクティブ（細枠）な用紙サイズ「Ｂ５」表示ボタン１３２がユーザによってタッチされることによりアクティブ（太枠）になると共に，現状アクティブ（太枠）な「Ａ４」表示ボタン１３１が非アクティブ（細枠）になる。このように表示操作部２０の表示内容を変化させることによって，インクジェットプリンタＢで画像形成を行う際の用紙サイズを「Ａ４」から「Ｂ５」に変更することが可能となる。
また，この図４（ｂ）で示される「拡大縮小」の項目は，複合機Ａが具備するスキャナ部３０が原稿画像を読み取る時の設定項目であるので，表示操作部２０には複合機Ａ（第１の画像処理装置）とインクジェットプリンタＢ（第２の画像処理装置）とが各々具備する印刷の態様を総合的に構築して，反映させたものとも言える。
次に，ユーザによって表示ボタン１１０が押されることによって，印刷を実行する指示がユーザによってなされる（Ｓ６０）。
【００１２】
上記印刷実行の指示が入力されることによって，複合機Ａはスキャナ部３０を用いて原稿画像の読み取りを開始し，読み取った画像データを画像処理部６０又はＲＡＭ１３に記憶する（Ｓ７０）。
そして，上記ステップＳ３０で初期処理を行った設定に基いて，画像処理部６０は上記ステップＳ７０で記憶した画像データの画像処理を行う（Ｓ８０）。
つまり，このステップＳ８０にて，上記ステップＳ７０で読み取った画像データをインクジェットプリンタＢにて最適に画像形成するための（印刷するための）画像処理がなされる。
次に，複合機Ａは，上記ステップＳ８０において画像処理された画像データと，ステップＳ５０でユーザによって設定された設定状況に関する情報とをプリンタ通信部７０よりインクジェットプリンタＢへ送信する（Ｓ９０）。
ステップＳ９０の処理の後，複合機Ａにて画像処理された画像データに基いて，インクジェットプリンタＢにて画像形成されて印刷出力される。
更に，インクジェットプリンタＢは，ステップＳ５０で設定された設定状況（即ち，印刷の設定や画像処理の設定）に関する情報に基いて，複合機Ａに対応する画像処理テーブルと印刷態様テーブルの内容を追加，更新又は変更する。
このように処理が実行されることで，ユーザは，従来のように増加分の第２の画像処理装置（インクジェットプリンタＢ側）の画像処理パラメータを第１の画像処理装置（複合機Ａ側）に対して追加，更新，又は変更するような煩わしい作業をする必要が無くなり，何時でも第２の画像処理装置を第１の画像処理装置に接続するだけで第２の画像処理装置による印刷出力が可能となる。
【００１３】
【実施例】
（実施例１）
上述の実施の形態において，ステップＳ２０からステップＳ３０に処理が移る際に，図５に示すような一連の処理が行われても良い。
この一連の処理は，図２に示すように，第２の画像処理装置に画像処理テーブルが複数の第１の画像処理装置の種別毎に定められている場合に，第１の画像処理装置が自身に対応した画像処理テーブルを第２の画像処理装置の固有情報より選択する手順である。
このような一連の処理を実行するのは，第２の画像処理装置に第１の画像処理装置の種別毎に複数の画像処理テーブルが定められていると，第１の画像処理装置は上記複数の画像処理テーブルの中から自身に対応した画像処理テーブルを取得してから，画像処理をする必要があるためである。
以下，インクジェットプリンタＢ（第２の画像処理装置）が複合機Ａ（第１の画像処理装置）に接続された場合について述べる。
先ずステップＳ２０にて複合機Ａが固有情報を取得した後に，複合機Ａはその固有情報の中に自身に対応する画像処理テーブルが存在するか否かを判断する（Ｓ１１０）。
このステップＳ１１０の判断で，自身に対応する画像処理テーブルが存在すると判断されると，複合機Ａはその画像処理テーブルを採用し，処理がステップＳ３０へ移行する（Ｓ１２０）。
他方，上記ステップＳ１１０の判断で，自身に対応する画像処理テーブルが無いと判断されると，複合機Ａは固有情報に含まれる標準の画像処理テーブルを採用する。
この標準の画像処理テーブルとは，インクジェットプリンタＢが元々具備するものであって，インクジェットプリンタＢが初めて第１の画像処理装置に接続された場合に，画像処理パラメータの初期値として採用されるべきものを記憶したものである。即ち，デフォルトの画像処理テーブルである。
また，上述では画像処理テーブルの場合について述べたが，もちろん，印刷態様テーブルについても第１の画像処理装置別に定められているならば，上述同様の処理を複合機Ａが行うことで，複合機Ａに対応した印刷態様テーブルを選択することが可能となる。
【００１４】
（実施例２）
上記実施例１では，第１の画像処理装置の種別毎に画像処理テーブルや印刷態様テーブルが予め定められている場合に，第１の画像処理テーブルが自身に対応した上記テーブルを選択する手順について述べた。
ここでは，更に，画像処理テーブルがユーザ別に定められている場合に，第１の画像処理装置がユーザに対応した画像処理テーブルを選択する手順について述べる。この場合も，上記実施例１同様に，第２の画像処理装置にユーザ別に複数の画像処理テーブルが定められていると，第１の画像処理装置はユーザ別に定められた複数の画像処理テーブルの中からユーザに対応した画像処理テーブルを取得してから，画像処理をする必要があるためである。
以下，上記実施例１同様に，インクジェットプリンタＢ（第２の画像処理装置）が複合機Ａ（第１の画像処理装置）に接続された場合について述べる。
先ず，図３のフローチャートステップＳ１０とステップＳ２０との間に，図６に示すステップＳ１５の処理が追加されることで，ユーザ別に定められた画像処理テーブルを選択することが可能となる。
このステップＳ１５では，複合機Ａの表示操作部２０にユーザの識別子（例えば，ＩＤ番号，パスワード等）が入力される（Ｓ１５）。
そして，上述同様，複合機Ａは固有情報をインクジェットプリンタＢより取得する（Ｓ２０）。
そして，処理がステップＳ２０からステップＳ３０へ移行する際に，複合機Ａは図７に示すような処理を行う。
先ず，複合機Ａはその固有情報の中に上記ユーザに対応する画像処理テーブルが存在するか否かを判断する（Ｓ２１０）。この判断は，上記ステップＳ１５（図６参照）で入力されたユーザのＩＤ等の識別子に対応する画像処理テーブルが存在するか否かを判断することで可能となる。
このステップＳ２１０の判断で，上記ユーザに対応する画像処理テーブルが存在すると判断されると，複合機Ａはその画像処理テーブルを採用し，処理がステップＳ３０へ移行する（Ｓ２２０）。
他方，上記ステップＳ２１０の判断で，上記ユーザ対応する画像処理テーブルが無いと判断されると，複合機Ａは固有情報に含まれる標準の画像処理テーブルを採用する。
この標準の画像処理テーブルとは，上記実施例１同様に，画像処理パラメータの初期値として採用されるべきものを記憶したものである。
また，ここでは画像処理テーブルの場合について述べたが，もちろん実施例１同様に，印刷態様テーブルについてもユーザ別に定められているならば，上述同様の処理を複合機Ａが行うことで，複合機Ａに対応した印刷態様テーブルを選択することがかのうである。
【００１５】
【発明の効果】
本発明は，原稿画像を読み取り，該読み取った原稿画像の画像データの特性を変化させることによって印刷のための画像処理を施すことのできる第１の画像処理装置と，
上記第１の画像処理装置と通信可能で，上記画像データに基いて画像形成を行うことのできる第２の画像処理装置とを具備する印刷システムにおいて，
上記第２の画像処理装置は上記印刷のための画像処理に関する画像処理パラメータを記憶し，
上記第１の画像処理装置は，上記第２の画像処理装置に記憶された上記画像処理パラメータを上記第２の画像処理装置より取得し，該取得した上記画像処理パラメータに基いて上記画像データの特性を変化させることによって上記印刷のための画像処理を施し，該画像処理を施した画像データを上記第２の画像処理装置へ出力するものであって，さらに，上記第２の画像処理装置より取得した上記画像処理パラメータを変更して設定した後に，該設定した画像処理パラメータを上記第２の画像処理装置に送信可能であり，
上記第２の画像処理装置は，上記第１の画像処理装置から送信された変更後の上記画像処理パラメータに基づいて記憶内容を追加若しくは更新可能であることを特徴とする印刷システムとして構成されている。
本発明がこのように構成されているので，従来の技術のように画像処理パラメータが予め第１の画像処理装置に記憶されているような形態では，第２の画像処理装置の機種が増えた場合に，その増加した機種の画像処理パラメータを追加，更新，又は変更するような煩わしい作業をする必要が無くなり，ユーザは何時でも第２の画像処理装置を第１の画像処理装置に接続するだけで第２の画像 処理装置による印刷が可能となる。
【００１６】
また，前記第１の画像処理装置は，前記第２の画像処理装置より取得した前記画像処理パラメータを変更して設定（例えば，ユーザ別又は前記第１の画像処理装置の種別に応じて設定）した後に，該設定した画像処理パラメータを前記第２の画像処理装置に記憶させることができるので，第２の画像処理装置を用いて印刷する場合に，様々な状況に応じた印刷を行うことが可能となる。
【００１７】
本発明において，前記第２の画像処理装置は，前記第２の画像処理装置が具備する印刷の態様に関する印刷態様パラメータを更に記憶し，
前記第１の画像処理装置は，前記第２の画像処理装置に記憶された上記印刷態様パラメータを前記第２の画像処理装置より取得し，該取得した上記印刷態様パラメータと前記第１の画像処理装置が具備する印刷の態様とに基いて，前記第２の画像処理装置で出力する際の印刷の態様を構築してなるように構成しても良い。更に，該構築された前記印刷の態様を前記第１の画像処理装置が具備する表示部に表示することが望ましい。
この場合，第２の画像処理装置を用いて印刷するにおいて，例えば，第１の画像処理装置が具備する原稿画像読み取りの機能と，第２の画像処理装置で行える印刷の機能とを併せて，総合的に印刷の機能を本発明の印刷システムで構築することが可能となるので，各々単体では不可能な幅広い印刷の態様を設定することが可能となる。
【図面の簡単な説明】
【図１】本発明の実施の形態に係る印刷システムの概略構成を示した一例図。
【図２】画像処理パラメータ，印刷態様パラメータの説明図。
【図３】複合機における一連の処理の一例を示したフローチャート。
【図４】複合機の表示操作部の表示例図。
【図５】機種別に記憶された画像処理パラメータ（画像処理テーブル）を複合機が取得する手順の一例を示したフローチャート。
【図６】図３のフローチャートの別例図。
【図７】ユーザ別に記憶された画像処理パラメータ（画像処理テーブル）を複合機が取得する手順の一例を示したフローチャート。
【符号の説明】
Ａ………複合機
Ｂ………インクジェットプリンタ
１０………制御部
２０………表示操作部
３０………スキャナ部
６０………画像処理部
７０………プリンタ通信部
【図１】
0003756085.tif 000002
【図２】
0003756085.tif 000003
【図３】
0003756085.tif 000004
【図４】
0003756085.tif 000005
【図５】
0003756085.tif 000006
【図６】
0003756085.tif 000007
【図７】
0003756085.tif 000008